(57)【要約】【課題】  エスカチオンの弛み止めを兼ねる角軸とハンドルの連結機構を提供する。【解決手段】  外端部に外側操作部材１２を装着した角軸８を、室外側から扉を貫通させて内端部を室内側に突出させ、この角軸８の内端部に、一端にフランジ１４を形成した角筒状のブッシュ１５を締り嵌めの態様で、かつ、フランジを扉内面側にして嵌合させ、更に、一端に開口した差込み孔にブッシュ１５及び角軸８を嵌合させた状態で内側操作部材１７と外側操作部材１２を相互に近接する方向に押動して、外側操作部材１２とブッシュのフランジ１４間で扉面或いはエスカチオンを挟み、一方、内側操作部材に開口した角軸の長さ方向に長いねじ穴１９を挿通し、角軸の雌ねじ孔と螺合する止めビス２１により、角軸８と内側操作部材１７を相互に結合する。【選択図】  図３
2005068901.tif 000002
【特許請求の範囲】
【請求項１】
外端部に外側操作部材を装着し、内端部に雌ねじ孔を形成した角軸を、室外側から扉を貫通させて内端部を室内側に突出させ、この角軸の内端部に、一端にフランジを形成した角筒状のブッシュを締り嵌めの態様で、かつ、フランジを扉内面側にして嵌合させ、更に、一端に開口した差込み孔にブッシュ及び角軸を嵌合させた状態で内側操作部材と外側操作部材を相互に近接する方向に押動して、外側操作部材とブッシュのフランジ間で扉面或いはエスカチオンを挟み、一方、内側操作部材に開口した角軸の長さ方向に長いねじ穴を挿通し、角軸の雌ねじ孔と螺合する止めビスにより、角軸と内側操作部材を相互に結合したことを特徴とする角軸と操作部材の連結機構。
【請求項２】
上記ブッシュが合成樹脂製であることを特徴とする請求項１記載の角軸と操作部材の連結機構。
【発明の詳細な説明】
【技術分野】
【０００１】
この発明は、角軸と操作部材の連結機構（以下単に連結機構という）に係り、特に、扉を貫通する角軸を介して相互に連結されたハンドル等の操作部材を一動作で扉に装着できると共に、ガタが生じない連結機構に関する。
【０００２】
ここで、角軸とは、扉の自由側端縁部及びここに埋設された錠箱を厚さ方向に貫通するようにして扉に装着され、その両端に装着された外側及び内側操作部材の動きを錠箱の錠止部材に伝達するもので、その存在そのものは従来周知である。
【背景技術】
【０００３】
本出願人は、先に、後記特許文献１及び２を以て、エスカチオンの扉への新規な取付機構を提案した。
【０００４】
なお、エスカチオンとは、図１に示すように、錠箱を埋設した扉の自由側端縁部を挟むようにしてその内外面に装着され、ハンドルやノブの取付座となる通常は縦長の一対の飾り板１、２のことである。
【０００５】
このエスカチオンの取付機構については、特許文献１、２に詳細に記載されているので簡単に説明すると、外側及び内側エスカチオン１、２を扉内外面の所定の位置に押しつけるようにすると、先ず図１で下方のカプラー３が結合される。
【０００６】
次いで室内側から連結杆４を差込み、その大径頭部を外側に押動すると、捩りコイルばね５の弾力により連結杆４が回転し、その先端の係止爪６を図示しない段部に係止するので、ねじ止め等の組立作業無しに簡単な操作でエスカチオンを取付けることができる。
【特許文献１】特願２００３−１５８０８４
【特許文献２】特願２００３−１７８１１５
【発明の開示】
【発明が解決しようとする課題】
【０００７】
この発明は、上記した新規なエスカチオンの取付機構において、そのハンドル等の操作部材の取付孔７、７の部分を挟みつけ、エスカチオンの弛みや浮き上がりを防止できる角軸と操作部材の連結機構を提供することを目的としている。
【課題を解決するための手段】
【０００８】
上記の目的を達成するため、請求項１に記載の発明は、外端部に外側操作部材を装着し、内端部に雌ねじ孔を形成した角軸を、室外側から扉を貫通させて内端部を室内側に突出させ、この角軸の内端部に、一端にフランジを形成した角筒状のブッシュを締り嵌めの態様で、かつ、フランジを扉内面側にして嵌合させ、更に、一端に開口した差込み孔にブッシュ及び角軸を嵌合させた状態で内側操作部材と外側操作部材を相互に近接する方向に押動して、外側操作部材とブッシュのフランジ間で扉面或いはエスカチオンを挟み、一方、内側操作部材に開口した角軸の長さ方向に長いねじ穴を挿通し、角軸の雌ねじ孔と螺合する止めビスにより、角軸と内側操作部材を相互に結合したことを特徴とする。
【０００９】
また、請求項２に記載の発明は、上記ブッシュが合成樹脂製であることを特徴とする。
【発明の効果】
【００１０】
この発明は、ブッシュと角軸の摩擦係合によりブッシュを角軸の所定の位置に安定に、かつ、強固に固定できるから、外部操作部材とブッシュとの間にエスカチオンを挟みつけた場合には、エスカチオンの取付状態をガタ無く安定に保持し続けることができる。
【００１１】
また、エスカチオンを装着しない扉にもこの発明を適用することができ、この場合には、ブッシュを締り嵌めの態様で角軸に嵌める、という簡単な構造で、操作部材をガタや弛みの無い状態で安定に扉に装着できる、等種々の効果を奏する。
【発明を実施するための最良の形態】
【００１２】
操作部材をガタや弛みの無い状態で安定に扉に装着し、或いは、エスカチオンの取付状態を安定に保持する、という目的を、ブッシュを締り嵌めの態様で角軸に嵌める、という簡単な構造で実現した。
【実施例１】
【００１３】
以下、この発明の一実施例を図面を参照して説明する。
図２及び図３において符号８は角軸を示し、この角軸８は、従来の角軸と同様の断面が方形の杆体であり、その外端部（図で左端部には）ピン穴９が、内端部には雌ねじ孔１１が夫々開口している。
【００１４】
この発明においても、従来の外部操作部材と角軸の結合態様と同様に、外部操作部材１２の軸部、及びこれに差込まれた角軸８を貫通する割りピン１３（図３参照）により、容易に分離できないように結合される。
【００１５】
一方、角軸の内端部には、図３に示すように、フランジ１４付のブッシュ１５が、フランジ１４を扉側に向けて嵌合している。
【００１６】
このブッシュ１５は、例えば図４乃至図６に示すように、円板状のフランジ１４付の薄肉角筒状で、ブッシュ１５と角軸８との嵌合の態様は所謂締り嵌めとなっている。
【００１７】
ここで締り嵌めとは、ブッシュ１５と角軸８とを嵌め合せたときの隙間がマイナスとなる嵌合の態様をいい、この場合弾性変形によってブッシュ１５が少し外側に膨らみ、その角筒が元に戻ろうとする弾力により角軸８が締め付けられ、両者の間に強い摩擦係合が生じる。
【００１８】
ちなみに、図示の実施例では、角軸８とブッシュ１５との嵌合が確実に締り嵌めとなるように、図６に示すように、角筒内筒内の隅部に所定の幅、所定の長さの低い突条、すなわち、角筒中心軸線方向の突出量が小さい突条１６を形成し、角軸８に嵌め合わせたとき、この突条に応力が集中して弾性変形がこの部分で生じるように設計されている。
【００１９】
なお、弾性変形し易い、という観点から、また、締り嵌めという態様で嵌合してもブッシュ１５が角軸８と抉らずに角軸８に沿って移動できるように、ブッシュ１５の材質は例えばナイロン系の合成樹脂であることが望ましい。
【００２０】
一方、図３及び図７に示すように、内側操作部材１７の軸部にもこれと同軸に段付の差込孔１７が形成されている。
【００２１】
なお、この差込孔１７と角軸８或いはブッシュ１５との嵌合は、所謂止まり嵌め、或いは緩み嵌めで良い。
【００２２】
また、内側操作部材１７の軸部の所定の角度位置には、角軸の長さ方向に長いねじ穴１９が開口している。
【００２３】
上記のように構成されたこの発明の一実施例による連結機構は、先ず外端部に外側操作部材のみを装着した角軸８を、エスカチオンの前記取付孔７（図１参照）及び扉、錠箱の図示しない角穴を通してその内端部を室内側に突出させる。
【００２４】
そして、この内端部にブッシュ１５及び内側操作部材１７を嵌合させ、止めビス２１（図３参照）をねじ穴１９を通して仮に角軸の前記雌ねじ孔１１に螺着する。
【００２５】
しかる後、例えば内側及び外側操作部材１２、１７を両手で持って外側操作部材１２を固定した状態で内側操作部材を１７を扉面方向に押動すると、ブッシュ１５及び内側操作部材１７が一体になって扉面方向に移動し、例えば内側及び外側操作部材１２、１７の段部が夫々エスカチオンの取付孔１７の面取り部に接合するので、その状態で止めビス２１を堅く締め付けて角軸８と内側操作部材１７とを固定する。
【００２６】
この状態では内側及び外側操作部材１２、１７は扉面内外からエスカチオン１、２を強く挟み付け、その状態はブッシュ１５と角軸８の摩擦係合によって安定に保たれる。
【００２７】
なお、この発明は、エスカチオンの締め付けに限らず、エスカチオンを装着しない通常の扉における操作部材の取付にも適用できることは勿論である。
【図面の簡単な説明】
【００２８】
【図１】本出願人の先の提案に係るエスカチオンの取付機構を示す断面図。
【図２】角軸の平面図。
【図３】この発明の一実施例による連結機構の断面図。
【図４】ブッシュの正面図。
【図５】ブッシュの側面図。
【図６】ブッシュの断面図。
【図７】内側操作部材の軸部先端の平面図。
【符号の説明】
【００２９】
１  外側エスカチオン
２  内側エスカチオン
７  取付孔
８  角軸
１１  雌ねじ孔
１２  外側操作部材
１４  フランジ
１５  ブッシュ
１６  突条
１７  内側操作部材
１８  差込孔
１９  ねじ穴
２１  止めビス
【図１】
2005068901.tif 000003
【図２】
2005068901.tif 000004
【図３】
2005068901.tif 000005
【図４】
2005068901.tif 000006
【図５】
2005068901.tif 000007
【図６】
2005068901.tif 000008
【図７】
2005068901.tif 000009